(57)【特許請求の範囲】
【請求項１】
機枠の前面に開閉自在に軸着され遊技盤が装着される本体枠と、前記本体枠の前面に開閉自在に軸着され前記遊技盤の前面を覆う透明板保持枠と、前記本体枠と前記透明板保持枠とを施錠・開錠する施錠装置と、を備えてなる遊技機であって、
前記施錠装置に、この施錠装置を操作するシリンダー錠を設けると共に外部から電気的信号を入力することで該施錠装置を操作する電子錠の取付部を設け、
前記シリンダー錠には該シリンダー錠に着脱自在に被着する鍵カバー部材を設け、
前記鍵カバー部材は一端面を閉塞しかつ他端面を開放した円筒状に形成されるものと両端面を開放した円筒状に形成されるものとの二種類揃えられており、且つ工具によって切り裂き可能な素材により形成されていることを特徴とする遊技機。
【請求項２】
前記一端面を閉塞しかつ他端面を開放した円筒状に形成される鍵カバー部材と前記両端面を開放した円筒状に形成される鍵カバー部材とは、他端面側で接続片により一体に接続されている請求項１記載の遊技機。
【請求項３】
前記鍵カバー部材は、前記シリンダー錠の前端面に取着されるように円板状に形成され、その一側面の中心に前記シリンダー錠の鍵穴に挿通する鍵穴挿入片を突設してなる請求項１記載の遊技機。
【請求項４】
前記鍵カバー部材における前記シリンダー錠の前端面と当接する前側壁に、前記シリンダー錠の鍵穴に対応する中心部分を残してその周囲に切取用開孔を開設した請求項１乃至３のうちのいずれか１記載の遊技機。
【請求項５】
前記遊技機に前記鍵カバー部材を保持し保管しておく挿入保持孔が設けられている請求項１乃至４のうちのいずれか１記載の遊技機。
【発明の詳細な説明】
【技術分野】
【０００１】
本発明は、シリンダー錠に電子錠を加え、これらを使い分けできるようにした遊技機に関するものである。
【背景技術】
【０００２】
従来、遊技機の一種として代表的なものにパチンコ遊技機が有る。該パチンコ遊技機は、遊技盤が装着される遊技機本体と該遊技機本体の前面に配置され開閉自在に軸着される透明板保持枠とからなり、該遊技機本体には該透明板保持枠を必要なときのみ開放できるようにシリンダー錠が装着されている。
【０００３】
しかしながら、前記シリンダー錠を備えたパチンコ遊技機にあっては、例えば、パチンコホールで各パチンコ遊技機に遊技者がぎっしりと付いて遊技をしている混み合った状態で、しかも、遊技中にトラブルが発生して透明板保持枠を開ける必要が生じた場合、ホールの係員がその間に割り込んでシリンダー錠の鍵穴に鍵を差し込み透明板保持枠を開けなくてはならない。これは、他の遊技客の邪魔になるなどサービス上好ましくない。このため、鍵を使ったシリンダー錠の開錠のし易さが求められていた。
【０００４】
これに対し、近時、鍵を使うことなく例えば電波、赤外線等の無線手段によってアクチュエータを作動させ開錠する遠隔操作式の開錠手段、すなわち、電子錠、が出現しつつある。この電子錠にあっては、例えば電源が取れない場所での透明板保持枠や本体枠の開錠ができないばかりか、パチンコホールにパチンコ遊技機を設置した後に電源供給できない状態で透明板保持枠と本体枠を誤って閉めてしまった場合にも、パチンコ遊技機の前面側より施錠装置を破壊しなければ該透明板保持枠と本体枠とは開けられないという問題点がある。
【０００５】
これらの点に鑑み、例えば、特許文献１に示されるようにシリンダー錠に電子錠を加え、シリンダー錠と電子錠とを使い分けできるようにしたパチンコ遊技機が出現している。
【先行技術文献】
【特許文献】
【０００６】
【特許文献１】特許第４２６３４６７号公報（第３−５頁、図１）
【発明の概要】
【発明が解決しようとする課題】
【０００７】
前記特許文献１に係るパチンコ遊技機にあっては、必然的にシリンダー錠がパチンコ遊技機の前面側に配置され、電子錠がその裏面側に配置されている。従って、パチンコホールで電子錠のみを使用する場合においても、シリンダー錠はそのまま配置されその鍵穴が外部に露出しているので、遊技客が該鍵穴にガムや爪楊枝などの異物を挿入するといったいたずらをすることがあった。しかも、せっかく電子錠が設けられているにも拘わらず、シリンダー錠の鍵穴が前面に露出していることは、電子錠の最大の利点である防犯性の向上が十分に発揮できてないことになる。
【０００８】
そこで、本発明は上記課題を解決すべくなされたもので、シリンダー錠に電子錠を加えこれらを使い分けできる遊技機であって、パチンコホールにて電子錠のみを使用する場合は、シリンダー錠の鍵穴を塞ぐようにして、いたずらを未然に防ぎ防犯性の向上を図るようにした遊技機を提供することを目的とするものである。
【課題を解決するための手段】
【０００９】
かかる目的を達成するため本発明に係る遊技機は、機枠の前面に開閉自在に軸着され遊技盤が装着される本体枠と、前記本体枠の前面に開閉自在に軸着され前記遊技盤の前面を覆う透明板保持枠と、前記本体枠と前記透明板保持枠とを施錠・開錠する施錠装置と、を備えてなる遊技機であって、前記施錠装置に、この施錠装置を操作するシリンダー錠を設けると共に外部から電気的信号を入力することで該施錠装置を操作する電子錠の取付部を設け、前記シリンダー錠には該シリンダー錠に着脱自在に被着する鍵カバー部材を設け、前記鍵カバー部材は一端面を閉塞しかつ他端面を開放した円筒状に形成されるものと両端面を開放した円筒状に形成されるものとの二種類揃えられており、且つ工具によって切り裂き可能な素材により形成されていることを特徴としている。
【００１１】
また、前記一端面を閉塞しかつ他端面を開放した円筒状に形成される鍵カバー部材と前記両端面を開放した円筒状に形成される鍵カバー部材とは、他端面側で接続片により一体に接続されていることが好ましい。
【００１２】
更に、前記鍵カバー部材は、前記シリンダー錠の前端面に取着されるように円板状に形成され、その一側面の中心に前記シリンダー錠の鍵穴に挿通する鍵穴挿入片を突設してなることが好ましい。
【００１３】
更にまた、前記鍵カバー部材における前記シリンダー錠の前端面と当接する前側壁に、前記シリンダー錠の鍵穴に対応する中心部分を残してその周囲に切取用開孔を開設することが好ましい。
【発明の効果】
【００１４】
本発明に係る遊技機は、本体枠と透明板保持枠とを施錠・開錠する施錠装置を備え、該施錠装置に、この施錠装置を操作するシリンダー錠を設けると共に外部から電気的信号を入力することで該施錠装置を操作する電子錠の取付部を設け、シリンダー錠に被着して該シリンダー錠の前端面を覆いその鍵穴を塞ぐ鍵カバー部材を備え、該鍵カバー部材は工具によって切り裂き可能な素材により形成され、遊技機には鍵カバー部材を保持し保管しておく挿入保持孔を設けるようにした。そして、パチンコホールにて電子錠の取付部に電子錠を取り付ける。営業中に電子錠のみを使用する場合には、シリンダー錠を鍵カバー部材により被着して鍵穴を塞ぐようにしたので、これにより、シリンダー錠の鍵穴にガムや爪楊枝といった異物を挿入するといういたずらやゴト師による不正行為が抑制され、防犯性の向上を図ることができるという効果を奏する。また、電子錠のみを使用するパチンコホールにおいては、パチンコホールの従業員が必要と判断した以外の（例えば不正行為を目的とする）鍵カバー部材の破損による痕跡を従業員がいち早く発見可能となり、不正が行なわれた後の対応も早急に行なうことができるという効果も有る。また、各パチンコホールにとっては、電子錠の開閉システムの有無という環境の相違、シリンダー錠のみを使用するか、電子錠のみを使用するか、これらのいずれも使用するかといった営業方針の相違が有るが、それら各パチンコホールの要望に容易に対応できるという効果も有る。
【００１５】
この際、鍵カバー部材は、一端面を閉塞しかつ他端面を開放した円筒状に形成されるものと両端面を開放した円筒状に形成されるものとの二種類揃えておけば、仮に、電子錠を使用せずシリンダー錠を使用して営業する場合には、前記両端面が開放された鍵カバー部材を使用する。これにより、シリンダー錠の鍵穴が露出して該シリンダー錠が使用できる。また、シリンダー錠の外径よりも該シリンダー錠を挿通する挿入通孔の内径の方が大きくても、鍵カバー部材の肉厚がその隙間を塞ぎ、その隙間から行われる不正行為を未然に防ぐことができるという効果が有る。
【００１６】
また、前記一端面を閉塞しかつ他端面を開放した円筒状に形成される鍵カバー部材と両端面を開放した円筒状に形成される鍵カバー部材とを他端面側で接続片により一体に接続するようにすれば、それぞれ別個に備えられているよりも紛失しにくく、鍵カバー部材の保管も便利であるという効果が有る。
【００１７】
更に、鍵カバー部材として、前記シリンダー錠の前端面に取着されるように円板状に形成され、その一側面の中心にシリンダー錠の鍵穴に挿通する鍵穴挿入片を突設してなるものを使用すれば、鍵カバー部材がコンパクトに形成でき、取り扱い易く製造コストも低廉になし得るという効果が有る。
【００１８】
いずれの場合も、前記鍵カバー部材におけるシリンダー錠の前端面と当接する部位に、シリンダー錠の鍵穴に対応する中心部分を残してその周囲に切取用開孔を開設するようにすれば、該切取用開孔に先の尖った工具を挿入して鍵カバー部材が簡単に破壊でき、鍵穴を容易に露出できるので、シリンダー錠を直ちに使用したいという緊急時の対応がスムーズに行なえ対応がし易いという効果が有る。
【図面の簡単な説明】
【００１９】
【図１】透明板保持枠と球受皿を開放した本発明に係るパチンコ遊技機の正面図。
【図２】表から見た本体枠の分解斜視図。
【図３】裏から見た本体枠の分解斜視図。
【図４】（イ）は本発明に係る鍵カバー部材の拡大斜視図、（ロ）は他の鍵カバー部材の拡大斜視図。
【図５】裏側から見た本体枠の一部拡大斜視図。
【図６】本体枠の一部拡大側面断面図。
【図７】鍵カバー部材の使用状態を示すパチンコ遊技機の要部拡大側面図。
【図８】鍵カバー部材の使用状態を示すパチンコ遊技機の要部拡大側面図。
【図９】（イ）（ロ）は鍵カバー部材対の拡大斜視図。
【図１０】裏から見た本体枠の分解斜視図。
【図１１】他の鍵カバー部材の使用状態を示すパチンコ遊技機の要部拡大側面図。
【図１２】他の鍵カバー部材の使用状態を示すパチンコ遊技機の要部拡大側面図。
【図１３】（イ）（ロ）は他の鍵カバー部材の拡大裏面斜視図。
【図１４】裏側から見た本体枠の一部拡大斜視図。
【図１５】本体枠の一部拡大側面断面図。
【図１６】他の鍵カバー部材の使用状態を示すパチンコ遊技機の要部拡大側面図。
【図１７】他の鍵カバー部材の使用状態を示すパチンコ遊技機の要部拡大側面図。
【図１８】球受皿が一体に成形される透明板保持枠を開放したパチンコ遊技機の正面図。
【図１９】同表から見た本体枠の分解斜視図。
【図２０】鍵カバー部材の使用状態を示すパチンコ遊技機の要部拡大側面図。
【図２１】鍵カバー部材の使用状態を示すパチンコ遊技機の要部拡大側面図。
【発明を実施するための形態】
【００２０】
以下、本発明に係る遊技機の最良の実施の形態を図面に基づき詳しく説明する。本発明は、パチンコ遊技機、アレンジボール遊技機、雀球遊技機、メダル又はパチンコ球を遊技媒体として用いる回動式遊技機などの遊技機に適用されるが、この内、その一例としてパチンコ遊技機に適用される場合について説明する。図１は透明板保持枠と球受皿を開放した本発明に係るパチンコ遊技機の正面図、図２は表から見た本体枠の分解斜視図、図３は裏から見た本体枠の分解斜視図である。
【００２１】
パチンコ遊技機Ｐは、遊技機本体１と該遊技機本体１の前面に開閉自在に軸着される透明板保持枠２及びこの下方に配置される球受皿３とからなる。遊技機本体１は、縦長長方形状の機枠４を有し、該機枠４の前側に本体枠５が開閉自在に装着される。該遊技機本体１すなわち本体枠５に、遊技盤６が着脱自在に装着される。遊技盤６の前面には、渦巻き状に敷設された内側・外側ガイドレール７ａ，７ｂにより囲われるようにして遊技領域である遊技部６ａが形成される。
【００２２】
前記遊技盤６の遊技部６ａには、その中央に文字、数字等の図柄を変動表示する変動表示装置８が配設される。また、その下方に遊技部６ａに打ち込まれた遊技球が入賞することにより変動表示装置８に表示された図柄を変動させる始動入賞口９が配置され、更に、その下方に一度に多くの入賞球を発生する大型の入賞装置１０が配置される。図中、１１は一般の入賞口である。遊技部６ａの中央下縁に、遊技部６ａに打ち込まれた遊技球であっていずれの入賞口にも入賞しなかった遊技球をアウト球として遊技盤６の後側へ排出するアウト球口１２が設けられている。
【００２３】
透明板保持枠２は、中央に前記遊技盤６の遊技部６ａが臨む窓開口１３が開設され、該窓開口１３に該窓開口１３を覆うように透明なガラス板または透明な合成樹脂板を前後に一定の間隔離して平行に配置した透明板ユニット１４が取着されている。
【００２４】
球受皿３は、本体枠５の一側に軸着される取付基板１５と、その前面に装着される球皿部１６と、から主として構成される。該球皿部１６にパチンコ遊技機Ｐの裏側に配設した球払出装置（図示せず。）から払い出される遊技球であるパチンコ球が貯留され、貯留されたパチンコ球は本体枠５の前面下部に装着された打球発射装置１７に供給されることになる。前記取付基板１５の裏面には、前記球皿部１６から受け入れられるパチンコ球を打球発射位置へ一個ずつ間歇的に供給するための打球供給装置１８が取着されている。打球発射装置１７は、本体枠５の前面に取着される基板１９と該基板１９の前面に取着される発射レール２０と、上端部を基板１９に軸着され該基板１９に沿って往復回動し該発射レール２０上面に供給されるパチンコ球を打球する打球槌２１と、から構成されている。また、本体枠５の下部前面であってその一側すなわち球受皿３の解放側に、球皿部１６の前面と面一となる装飾部材２２が突設され、該装飾部材２２に前記打球発射装置１７から発射されるパチンコ球の打球力を調整するための打球力調整ハンドル２３が取着される。更に、装飾部材２２であって打球力調整ハンドル２３の上方にシリンダー錠２４が配設されている。
【００２５】
前記装飾部材２２をもう少し詳しく説明すると、該装飾部材２２は合成樹脂製であって図２、図３に示すように後面が開放する箱枠状に形成されると共に、下部の広幅突部２２ａとその上部に一体に設けられる狭幅突部２２ｂとからなる。広幅突部２２ａに前後両端面が開放され前記打球力調整ハンドル２３が挿通される円筒状の挿通孔２５が形成され、狭幅突部２２ｂに前後両端面が開放され前記シリンダー錠２４が挿通される円筒状の挿入通孔２６が形成されている。また、挿入通孔２６は、図７に示すようにその前端内周縁に環状リブ２７が設けられている。挿入通孔２６の内径はシリンダー錠２４の外径よりも少し大きく、シリンダー錠２４前端の鍵穴２８が臨む前端開口２９の内径がシリンダー錠２４の外径とほぼ一致している。装飾部材２２の裏側に、該装飾部材２２を正面から見た大きさとほぼ同じ大きさからなる金属製の不正防止板３０が配置される。該不正防止板３０には、前記挿入通孔２６に対応して該挿入通孔２６と連通する第一透孔３１が開設される。そして、装飾部材２２は、その裏側に不正防止板３０を当接した状態で本体枠５の下部前面の所定位置に固着されることになる。装飾部材２２が固着された状態では、前記挿入通孔２６が不正防止板３０に開設された第一透孔３１を介して本体枠５に形成され前後端面が開放した円筒状の第二透孔３２と連通する。
【００２６】
図３に示すように本体枠５の一側すなわち開放側の外側に、本体枠５または透明板保持枠２を施錠または開錠する施錠装置３３がビス５９止めにより配置固定される。該施錠装置３３は、本体枠５の側壁に固着される縦長の固定板３４を備え、該固定板３４の外側面に重なるようにして上下に摺動する可動板３５が設けられる。前記固定板３４と該可動板３５は平板部が共に前後方向に沿って配置され、その下部が内側（パチンコ遊技機Ｐを正面から見て左側）へ窪むように屈曲しており、図５、図７に示すように該固定板３４の窪み部３６部位に、前後に位置してシリンダー錠２４を配置固定する第一取付部６３ａと後記する電子錠３８を配置固定する第二取付部６３ｂとが一直線状に設けられる。第一取付部６３ａに、鍵穴２８を前側へ向けるようにしてシリンダー錠２４が配置固定される。該シリンダー錠２４の錠軸２４ａは後方へ突出しており、該錠軸２４ａの後端に略三日月状の前カム片３７が固着されている。一方、第二取付部６３ｂの電子錠３８は、シリンダー錠２４の後側に近接しかつシリンダー錠２４と一体に固着されるようにして配置される。電子錠３８とは、電波、赤外線、超音波等の無線手段またはパチンコホールにおける中央制御装置からの指令によりアクチュエータによって透明板保持枠２または本体枠５の開錠を行なう開錠機構である。そして、該電子錠３８の錠軸３８ａは前方へ突出されると共に前記シリンダー錠２４の錠軸２４ａと同一中心軸線上に位置し、その錠軸３８ａの先端に前記前カム片３７と同じ大きさの略三日月状からなる後カム片３９が固着されている。前カム片３７と後カム片３９は互いに同一中心軸線と直交する平行な面内でそれぞれ往復回動する。ところで、シリンダー錠２４は、あらかじめパチンコ遊技機Ｐの組立工場で施錠装置３３に取着されてそのまま出荷されるのが通常であるが、電子錠３８はパチンコホールの営業上の方針が有ることから、工場からの出荷時には取り付けられておらず、ほとんど各パチンコホールで取り付けられる。ただ、場合によっては組立工場からパチンコ遊技機Ｐが出荷されるときにすでに電子錠３８が取着されている場合もある。
【００２７】
シリンダー錠２４の外周面の後端部と電子錠３８の外周面の前端部にそれぞれ平行な支持板２４ｂ、支持板３８ｂが設けられ、これら支持板２４ｂ，３８ｂの両端部に互いに連通する螺子挿通孔６４，６５が開設されている。シリンダー錠２４側の各螺子挿通孔６４と電子錠３８側の各螺子挿通孔６５には、カラー６６を介在させて電子錠３８側から螺子棒６７を挿通し、各先端を施錠装置３３の固定板３４を切り起こして突設される保持片６８に開設された取付孔６９に挿通させる。各取付孔６９から突出した各螺子棒６７の先端に、ナット７０を螺締する。これにより、シリンダー錠２４と電子錠３８とがカラー６６の長さ間隔離れて固定される。前記シリンダー錠２４の前カム片３７と電子錠３８の後カム片３９の先端部は、可動板３５であってシリンダー錠２４の錠軸２４ａ及び電子錠３８の錠軸３８ａを挟んでその上下部に開設された上係止孔６１ａと下係止孔６１ｂに入り、それら前・後カム片３７，３９を上下動させる。例えば、シリンダー錠２４の鍵穴２８に挿入した鍵（図示せず。）をパチンコ遊技機Ｐを正面から見て時計回り方向に回動させると、シリンダー錠２４の錠軸２４ａも同方向へ回動し、前カム片３７の下側部が下係止孔６１ｂに入って可動板３５を上動させる。一方、シリンダー錠２４の鍵穴２８に挿入した鍵（図示せず。）を逆にパチンコ遊技機Ｐを正面から見て反時計回方向に回動させると、シリンダー錠２４の錠軸２４ａも同方向へ回動し、前カム片３７の上側部が上係止孔６１ａに入って可動板３５を下動させるようになっている。電子錠３８についても同様にして可動板３５を上下動できるようになっている。このように施錠装置３３を作動させるに、シリンダー錠２４または電子錠３８を使い分けできるようにしている。
【００２８】
詳しい説明は省略するが、前記固定板３４の前端縁部の上下位置に上向きの爪を前端に有しかつスプリング等の弾発手段により前端が常に上方へ付勢される一対の係合突片４０，４０が上下に摺動自在に取着されている。これら係合突片４０，４０は前記可動板３５が下動するのに伴い該可動板３５と係合し前記弾発手段に抗してその先端部を下げるようになっている。また、前記固定板３４の後端縁部の上下位置に上向きの爪を前端に有しかつスプリング等の弾発手段により前端が常に上方へ付勢される一対の係合片４２，４２が軸着されている。これら係合片４２，４２は前記可動板３５が上動するのに伴い該可動板３５と係合し前記弾発手段に抗してその先端部を下げるようになっている。
【００２９】
前記一対の係合突片４０，４０は、図１に示すように透明板保持枠２の裏面一側に設けられた上下の係合杆４１，４１に係脱自在に係合し、前記一対の係合片４２，４２は機枠４の一側内面に設けられた係止杆（図示せず。）に係脱自在に係合する。よって、本体枠５を閉じた状態では、該本体枠５側の施錠装置３３における一対の係合片４２，４２が機枠４の一対の係止杆に係合している。また、透明板保持枠２を閉じた状態では、本体枠５側の施錠装置３３における一対の係合突片４０，４０が透明板保持枠２の一対の係合杆４１，４１に係合している。
【００３０】
そこで、例えばシリンダー錠２４の鍵穴２８に鍵（図示せず。）を挿入して、時計回り方向に回動させると施錠装置３３の可動板３５が上動して一対の係合片４２，４２と機枠４側の一対の係止杆との係合が外れ、本体枠５が開放できるようになる。一方、前記鍵穴２８に挿入した鍵を反時計回り方向に回動させると、施錠装置３３の可動板３５が下動して一対の係合突片４０，４０と透明板保持枠２側の一対の係合杆４１，４１との係合が外れ、透明板保持枠２が開放できるようになる。電子錠３８にあっても、パチンコホールの中央制御装置からの指令を電子錠３８に出力することにより、前記シリンダー錠２４と同じ動作が行なえるようになっている。ちなみに、前記本体枠５や透明板保持枠２は開放させた状態から、それぞれそのまま後方へ押し込むのみで係合突片４０や係合片４２が係合杆４１や係止杆に自動的に係合する。これら説明では、シリンダー錠２４と共に電子錠３８も固着した状態を示したが、そもそもパチンコホールで電子錠３８を使用しない場合は、図７と同じように第一取付部材６３ａに支持板２４ｂを後側にしてシリンダー錠２４を配置し、各螺子挿通孔６４及び取付孔６９に前記螺子棒６７より短い螺子（図示せず。）を挿通し、保持片６８の前側で各螺子にナット７０を螺締する。これにより、シリンダー錠２４が固着される。組立工場からは、ほとんどこの状態でパチンコ遊技機Ｐが出荷されることになる。
【００３１】
ところで、本発明のようにシリンダー錠２４と電子錠３８を備え、これらの利点を生かしたパチンコ遊技機Ｐにあっては、該シリンダー錠２４に鍵穴２８を露出した状態で被着する鍵カバー部材４４（４４ａ）と鍵穴２８を塞ぐ前側壁４５を有する鍵カバー部材４４（４４ｂ）とを備えている。これら鍵カバー部材４４を更に詳しく説明すると、この鍵カバー部材４４は、合成樹脂材により成形され図４（イ）に示すように二種類ある。一方の鍵カバー部材４４ａは、両端面が開放する短筒状に形成され外径が前記本体枠５に設けられた挿入通孔２６の内径とほぼ同じであって、内径がシリンダー錠２４の外径とほぼ同じに形成されている。他方の鍵カバー部材４４ｂは、前端面が前側壁４５により完全に塞がれると共に後端面は開放し短筒状に形成されている。また、他方の鍵カバー部材４４ｂは、同様に外径が前記本体枠５に設けられた挿入通孔２６の内径とほぼ同じであって、内径がシリンダー錠２４の外径とほぼ同じに形成されている。
【００３２】
例えば、組立工場においてパチンコ遊技機Ｐの組み立てが終了しパチンコホールの設置島に配置されるまでの間、パチンコホールにて入れ替えや配置場所の変更のためパチンコ遊技機Ｐを取り外したままでいる間、または、パチンコ遊技機Ｐを同じグループ内のパチンコホールから他のパチンコホールに移動させる場合の間は、鍵を使って透明板保持枠２を開放したい場合がある。このような場合はシリンダー錠２４が使える状態にしておく必要がある。このため、本体枠５を開放した状態でビス５９を外して施錠装置３３を取り外し、シリンダー錠２４を装飾部材２２から抜く。次に、シリンダー錠２４に両端面が開放される一方の鍵カバー部材４４ａを被着する。そして、再び、施錠装置３３をビス５９により元の位置に取り付け、図７に示すようにシリンダー錠２４を挿入通孔２６に挿入する。この状態では、パチンコ遊技機Ｐの前面に挿入通孔２６を介してシリンダー錠２４の鍵穴２８が露出し、パチンコ遊技機Ｐの前側から鍵穴２８に鍵を挿入してシリンダー錠２４が操作できるようになっている。前端面が塞がれた他方の鍵カバー部材４４ｂは、図５に示すように本体枠５の一側下部に設けられた挿入保持孔４６に挿入して保管しておく。該挿入保持孔４６は、図６に示すように前端面が閉塞され後端面が開放し、その内径は鍵カバー部材４４ａ，４４ｂの外径とほぼ一致している。また、挿入保持孔４６の中心軸線に沿った長さは、鍵カバー部材４４ａ，４４ｂにおける同方向の長さより少し長く設定され、後端縁の上縁に下方を向く爪片４７が設けられている。該爪片４７は、挿入保持孔４６に挿入した鍵カバー部材４４ａ，４４ｂが抜け出て無用に落下しないようにするためである。
【００３３】
これに対し、例えば、パチンコホールで電子錠３８をシリンダー錠２４を備えたパチンコ遊技機Ｐに追加して配置し電子錠３８のみを使用する場合、パチンコホールでシリンダー錠２４と電子錠３８の両方を配置したパチンコ遊技機Ｐで電子錠３８のみを使用する場合は、いたずら行為防止や不正行為防止のためシリンダー錠２４が使えない状態としておく必要がある。このため、各パチンコ遊技機Ｐにつき本体枠５を開放した状態でビス５９を外し、施錠装置３３のシリンダー錠２４を装飾部材２２から抜く。そして、シリンダー錠２４の先端部にそれまで被着されていた両端面が開放される一方の鍵カバー部材４４ａを取り外す。そして、前端面が閉塞された他方の鍵カバー部材４４ｂをシリンダー錠２４の先端部に被着する。そして、再び、施錠装置３３をビス５９により元の位置に取り付け、図８に示すようにシリンダー錠２４を挿入通孔２６に挿入する。この状態では、シリンダー錠２４の鍵穴２８が前側壁４５により塞がれ、そのままではパチンコ遊技機Ｐの前側から鍵を鍵穴２８に挿入してシリンダー錠２４を操作するということができなくなる。ちなみに、両端面が開放された一方の鍵カバー部材４４ａは、本体枠５の一側下部に設けられた挿入保持孔４６に挿入して保管しておく。
【００３４】
なお、鍵カバー部材４４の交換に、前記のように施錠装置３３を取り外さなくても、シリンダー錠２４や電子錠３８を施錠装置３３に組み付ける前記螺子棒６７，６７を外しシリンダー錠２４と電子錠３８を外して鍵カバー部材４４の交換を行うようにしても良い。
【００３５】
これによって、パチンコホールにあってはシリンダー錠２４から電子錠３８に切り替えることができ、例えば、営業中に球詰まりが生じてそのトラブルを解消させるためには、トラブルの発生したパチンコ遊技機Ｐにあって電子錠３８を電気的に作動させて透明板保持枠２を開きパチンコホールの係員がその対処にあたる。また、営業後にすべてのパチンコ遊技機Ｐについて掃除をする際は、すべての電子錠３８を電気的に作動させることにより、すべてのパチンコ遊技機Ｐにつき透明板保持枠２を開放させることができ、その掃除をスムーズに行なえることになる。一方、シリンダー錠２４は他方の鍵カバー部材４４ｂにより被着され、前面の鍵穴２８が閉塞されているので、該シリンダー錠２４の鍵穴２８に爪楊枝のような異物を挿入することや該シリンダー錠２４を使っての不正行為を抑制することができる。
【００３６】
事故により電子錠３８の配線が切断されたり電子錠３８の駆動装置の故障などを原因として、電子錠３８が電気的に作動しなくなったとき、またはパチンコホールの設置島に電源供給できない状態でパチンコ遊技機Ｐを設置し、誤って透明板保持枠２と本体枠５とを閉めてしまったときは、先の尖った工具でパチンコ遊技機Ｐの前側から鍵カバー部材４４の前側壁４５を切り裂いて鍵穴２８を露出させる。そして、この状態で鍵穴２８に鍵を差し込んでシリンダー錠２４を作動させ、透明板保持枠２や本体枠５を開閉する。
【００３７】
図４（ロ）に示す鍵カバー部材４４のうち、他方の鍵カバー部材４４ｃは、前記先の尖った工具で鍵カバー部材４４ｃを切り裂く場合に切り裂き易いように、鍵穴２８に対応する中心部分４５ａを残してその周囲に複数の切取用開孔４８を開設し、隣り合う切取用開孔４８，４８間に幅の細い連結片４９を形成した構成からなる。これにより、連結片４９はその一端が中心部分４５ａに達しかつ他端が前端外周縁に達する。このような鍵カバー部材４４によっても鍵穴２８へのいたずらや不正行為を抑制できるばかりか、鍵穴２８を露出したい場合は、切取用開孔４８に先の尖った工具の先端を介入させて前記連結片４９を切断すれば良く、その作業が簡単に行なえる。
【００３８】
図９乃至図１２は鍵カバー部材対を示す。図９（イ）に示すように該鍵カバー部材対５０は、前記一方の鍵カバー部材４４ａと他方の鍵カバー部材４４ｂとをその後端縁で接続片５１により一体に接続して形成される。一方の鍵カバー部材４４ａと他方の鍵カバー部材４４ｂとは、それら中心軸線が互いに平行になるように配置される。この場合は、一方の鍵カバー部材４４ａと他方の鍵カバー部材４４ｂとが接続片５１により接続されたまま使用されるので、図１０のように装飾部材２２に設けられシリンダー錠２４を挿通させる挿入通孔２６の下方に、一方の鍵カバー部材４４ａを該挿入通孔２６に挿入したとき、他方の鍵カバー部材４４ｂを挿入しておくための挿入保持孔５２が設けられている。この挿入保持孔５２は前端面が塞がれ、後端面が開放している。この場合、鍵カバー部材対５０を本体枠５の裏側から装飾部材２２側へ挿入しなければならないので、本体枠５と不正防止板３０には、それぞれ鍵カバー部材対５０が挿通し得る大きさの縦長透孔６０，３０ａが開設されている。
【００３９】
そこで、シリンダー錠２４が使用できる状態とするには、ビス５９を外し本体枠５から施錠装置３３を取り外してシリンダー錠２４の先端部に両端が開放される鍵カバー部材４４ａを被着する。該鍵カバー部材４４ａの下には、接続片５１を介してもう一方の鍵カバー部材４４ｂが連なっている。よって、施錠装置３３を元の位置に固着すると共に鍵カバー部材対５０を二つの縦長透孔３０ａ，６０を介して装飾部材２２内に配置する。そして、図１１に示すように両端面が開放される一方の鍵カバー部材４４ａが被着されたシリンダー錠２４を挿入通孔２６に挿入する。この際、下方の鍵カバー部材４４ｂは挿入保持孔５２に挿入される。このとき、接続片５１にはビス挿通孔５１ａが開設され、該ビス挿通孔５１ａを介して該ビス挿通孔５１ａと連通する装飾部材２２裏面のビス孔６２にビス５９が螺締される。このようにして、鍵カバー部材対５０の無用な落下を防いでいる。
【００４０】
また、シリンダー錠２４を使用せずに電子錠３８のみを使用する場合は、本体枠５からビス５９を外し施錠装置３３を取り外すと共に、前記鍵カバー部材対５０を外す。次に、鍵カバー部材対５０を二つの縦長透孔３０ａ，６０を介して装飾部材２２内に配置すると共に装飾部材２２の裏面のビス孔６２に接続片５１のビス５９を螺締する。そして、ビス５９止めすることにより施錠装置３３を元の位置に固着する。これにより、図１２に示すように前端面が閉塞される他方の鍵カバー部材４４ｂを被着したシリンダー錠２４が挿入通孔２６に挿入される。また、この状態で、下方の両端面が開放された鍵カバー部材４４ａが挿入保持孔５２に挿入される。このように、互いの鍵カバー部材４４ａ，４４ｂを接続片５１により接続しておけば、どちらか一方を紛失してしまうといったことが少なく使い勝手も良い。
【００４１】
図９（ロ）に示す鍵カバー部材対５０のうち、他方の鍵カバー部材４４ｃは、前記のように先の尖った工具で鍵カバー部材４４ｃを切り裂く場合に切り裂き易いように、鍵穴２８に対応する中心部分４５ａを残してその周囲に複数の切取用開孔４８を開設し、隣り合う切取用開孔４８，４８間に幅の細い連結片４９を形成した構成からなる。これにより、鍵穴２８へのいたずらや不正行為を抑制できるばかりか、鍵穴２８を露出したい場合は、切取用開孔４８に先の尖った工具の先端を介入させて前記連結片４９を切断すれば良く、その作業が簡単に行なえる。
【００４２】
図１３乃至図１７も、他の実施の形態に係る鍵カバー部材を示すもので、この鍵カバー部材５３も合成樹脂材から成形されるが、シリンダー錠２４の前面にのみ被せられるものである。該鍵カバー部材５３は、図１３（イ）に示すようにシリンダー錠２４の外径と同じ外径を有する円板からなり、円板裏面の中心部にはシリンダー錠２４の鍵穴２８に挿入する鍵穴挿入片５４が突設されている。該鍵カバー部材５３はシリンダー錠２４の前端面のみで外周面には被着されないので、装飾部材２２の挿入通孔２６の内径もシリンダー錠２４の外径とほぼ同じに設定されている。
【００４３】
また、図１４、図１５に示すように、本体枠５の裏面下部に前記鍵カバー部材５３を使用しないときに、該鍵カバー部材５３を収納し保管しておく挿入保持孔５５が形成されている。該挿入保持孔５５は、深さが浅く、その後端面の内周縁に挿入した鍵カバー部材５３が簡単に外れないように保持しておく掛止片５６が突設されている。
【００４４】
そこで、シリンダー錠２４が使用できる状態では、図１６に示すようにシリンダー錠２４の前端面が開放すなわち鍵穴２８が露出した状態にしておく。これにより、必要なときにパチンコ遊技機Ｐの前側から鍵穴２８に鍵を差し込んで施錠装置３３を操作させることができる。
【００４５】
一方、電子錠３８を使用しシリンダー錠２４を使用しない場合は、本体枠５を開きビス５９を取って施錠装置３３を外し、図１７に示すように鍵穴２８に鍵穴挿入片５４を挿入してシリンダー錠２４の前端面に鍵カバー部材５３を取着する。これにより、鍵カバー部材５３がその周縁を前側の環状リブ２７と後側のシリンダー錠２４の前端面とにより挟着されしっかりと固定される。
【００４６】
この実施の形態にあっても、図１３（ロ）に示すように円板状の鍵カバー部材５３の鍵穴２８に対応する中心部分５３ａを残してその周囲に切取用開孔５７を開設し隣り合う切取用開孔５７，５７間に幅の細い連結片５８を形成した構成としても良い。また、鍵カバー部材５３の裏面であって中心部分５３ａにシリンダー錠２４の鍵穴２８に挿通される鍵穴挿入片５４が突設されている。よって、連結片５８は、その一端が中心部分５３ａに達しかつ他端が前端外周縁に達するようになっている。
【００４７】
このように本発明に係るパチンコ遊技機Ｐは、本体枠５と透明板保持枠２とを施錠・開錠する施錠装置３３を備え、該施錠装置３３に、この施錠装置３３を操作するシリンダー錠２４を設けると共に外部から電気的信号を入力することで該施錠装置３３を操作する電子錠３８の第二取付部６３ｂを設け、シリンダー錠２４に被着して該シリンダー錠２４の前端面を覆いその鍵穴２８を塞ぐ鍵カバー部材４４を備え、該鍵カバー部材４４は先端の尖った工具によって切り裂き可能な素材により形成され、遊技機Ｐには鍵カバー部材４４を保持し保管しておく挿入保持孔４６を設けるようにした。そして、パチンコホールにて電子錠３８の第二取付部６３ｂに電子錠３８を取り付け、営業中に電子錠３８のみを使用する場合には、シリンダー錠２４を鍵カバー部材４４により被着して鍵穴２８を塞ぐようにする。これにより、シリンダー錠２４の鍵穴２８にガムや爪楊枝といった異物を挿入するといったいたずらやゴト師による不正行為が抑制され、防犯性の向上を図ることができる。また、電子錠３８のみを使用するパチンコホールにおいては、パチンコホールの従業員が必要と判断した以外の（例えば不正行為を目的とする）鍵カバー部材４４の破損による痕跡を従業員がいち早く発見可能となり、不正が行なわれた後の対応も早急に行なうことができる。また、各パチンコホールにとっては、電子錠３８の開閉システムの有無という環境の相違、シリンダー錠２４のみを使用するか、電子錠３８のみを使用するか、これらのいずれも使用するかといった営業方針の相違が有るが、それら各パチンコホールの要望に容易に対応できる。
【００４８】
前記鍵カバー部材４４、鍵カバー部材対５０、鍵カバー部材５３は、いずれも合成樹脂材により成形されると説明したが、先端の尖った工具で引き裂くことができることを条件として、他の素材、例えばゴム、エラストマー、樹脂を含有した紙、薄いアルミ板であっても良い。
【００４９】
図１８乃至図２１は、球受皿３を共に一体に成形した透明板保持枠２ａを備えたパチンコ遊技機Ｐ１を示すもので、本発明に係るパチンコ遊技機Ｐと構成はほとんど同じなので、同一部位は同一符号を付すことによって詳しい説明は省略する。該パチンコ遊技機Ｐ１は、シリンダー錠２４を挿通させる挿入通孔２６が該透明板保持枠２ａに設けられている。また、透明板保持枠２ａの下部裏面に、使用されない鍵カバー部材４４を保持しておくための挿入保持孔４６が設けられている。そこで、例えば前記のように組立工場においてパチンコ遊技機Ｐ１の組み立てが終了しパチンコホールの設置島に配置されるまでの間、パチンコホールにて入れ替えや配置場所の変更のためパチンコ遊技機Ｐ１を取り外したままでいる間、または、パチンコ遊技機Ｐ１を同じグループ内のパチンコホールから他のパチンコホールに移動させる場合の間は、鍵を使って透明板保持枠２ａを開放したい場合があり、このような場合はシリンダー錠２４が使える状態にしておく必要がある。
【００５０】
このため、本体枠５を開放した状態でビス５９を外して施錠装置３３を取り外し、シリンダー錠２４を透明板保持枠２ａの挿入通孔２６から抜く。次に、シリンダー錠２４に両端面が開放される一方の鍵カバー部材４４ａを被着する。そして、再びビス５９締めして施錠装置３３を元の位置に取り付け、図２０に示すようにシリンダー錠２４を挿入通孔２６に挿入する。この状態では、パチンコ遊技機Ｐ１の前面に挿入通孔２６を介してシリンダー錠２４の鍵穴２８が露出し、パチンコ遊技機Ｐ１の前側から鍵穴２８に鍵を挿入してシリンダー錠２４が操作できるようになっている。図１８に示すように他方の前端面が塞がれた鍵カバー部材４４ｂは、透明板保持枠２ａの一側下部に設けられた挿入保持孔４６に挿入して保管しておく。該挿入保持孔４６は、前端面が閉塞され後端面が開放し、その内径は鍵カバー部材４４ａ，４４ｂの外径とほぼ一致している。また、挿入保持孔４６の中心軸線に沿った長さは、鍵カバー部材４４ａ，４４ｂにおける同方向の長さより少し長く設定され、後端縁の上縁に下方を向く爪片４７が設けられている。該爪片４７は、挿入保持孔４６に挿入した鍵カバー部材４４ａ，４４ｂが抜け出て無用に落下しないようにするためである。
【００５１】
これに対し、例えばパチンコホールで電子錠３８をシリンダー錠２４を備えたパチンコ遊技機Ｐ１に追加して配置し電子錠３８のみを使用する場合、パチンコホールでシリンダー錠２４と電子錠３８の両方を配置したパチンコ遊技機Ｐ１で電子錠３８のみを使用する場合は、いたずら行為防止や不正行為防止のためシリンダー錠２４が使えない状態としておく必要がある。このため、各パチンコ遊技機Ｐ１につき本体枠５を開放した状態でビス５９を外し、施錠装置３３のシリンダー錠２４を透明板保持枠２ａの挿入通孔２６から抜く。次に、シリンダー錠２４の先端部にそれまで被着されていた両端面が開放される一方の鍵カバー部材４４ａを取り外す。更に、前端面が閉塞された他方の鍵カバー部材４４ｂをシリンダー錠２４の先端部に被着する。そして、再び、ビス５９締することにより施錠装置３３を元の位置に取り付け、図２１に示すようにシリンダー錠２４を挿入通孔２６に挿入する。この状態では、シリンダー錠２４の鍵穴２８が前側壁４５により塞がれ、そのままではパチンコ遊技機Ｐ１の前側から鍵を鍵穴２８に挿入してシリンダー錠２４を操作するということができなくなる。ちなみに、両端面が開放された一方の鍵カバー部材４４ａは、透明板保持枠２ａの一側下部に設けられた挿入保持孔４６に挿入して保管される。
【００５２】
このような構成のパチンコ遊技機Ｐ１にあっても、パチンコホールでシリンダー錠２４から電子錠３８に切り替えることができ、例えば、営業中に球詰まりが生じてそのトラブルを解消させるためには、トラブルの発生したパチンコ遊技機Ｐ１にあって電子錠３８を電気的に作動させて透明板保持枠２ａを開きパチンコホールの係員がその対処にあたる。また、営業後にすべてのパチンコ遊技機Ｐ１について掃除をする際は、すべての電子錠３８を電気的に作動させることにより、すべてのパチンコ遊技機Ｐ１につき透明板保持枠２ａを開放させることができ、その掃除をスムーズに行なえることになる。一方、シリンダー錠２４は他方の鍵カバー部材４４ｂにより被着され、前面の鍵穴２８が閉塞されているので、該シリンダー錠２４の鍵穴２８に爪楊枝のような異物を挿入することや該シリンダー錠を使っての不正行為を抑制することができる。
【符号の説明】
【００５３】
２              透明板保持枠
４              機枠
５              本体枠
６              遊技盤
２４            シリンダー錠
２６            挿入通孔
２８            鍵穴
３３            施錠装置
３８            電子錠
４４            鍵カバー部材
４４ａ          一方の鍵カバー部材
４４ｂ          他方の鍵カバー部材
４８            切取用開孔
４９            連結片
５４            鍵穴挿入片
Ｐ              パチンコ遊技機
【図１】
0005502417.tif 000002
【図２】
0005502417.tif 000003
【図３】
0005502417.tif 000004
【図４】
0005502417.tif 000005
【図５】
0005502417.tif 000006
【図６】
0005502417.tif 000007
【図７】
0005502417.tif 000008
【図８】
0005502417.tif 000009
【図９】
0005502417.tif 000010
【図１０】
0005502417.tif 000011
【図１１】
0005502417.tif 000012
【図１２】
0005502417.tif 000013
【図１３】
0005502417.tif 000014
【図１４】
0005502417.tif 000015
【図１５】
0005502417.tif 000016
【図１６】
0005502417.tif 000017
【図１７】
0005502417.tif 000018
【図１８】
0005502417.tif 000019
【図１９】
0005502417.tif 000020
【図２０】
0005502417.tif 000021
【図２１】
0005502417.tif 000022